(57)【要約】【課題】オーディオ情報等を含むアイソクロナスパケットの出力が一時中断後に再開されたときでもオーディオ情報等に対する処理を迅速に再開することができ、処理再開後のオーディオ情報等における頭切れの発生を防止することができる情報出力装置等を提供する。【解決手段】オーディオ情報と、同期情報と、を含むアイソクロナスパケットを出力する情報出力装置において、オーディオ情報を出力するか否かを判定し（ステップＳ１）、オーディオ情報を出力しないとき、当該オーディオ情報に代わる予め設定された固定値を有する固定値情報と、上記制御情報と、を含む無音パケットを出力する（ステップＳ９、Ｓ１１）。【選択図】　　　図２
2004120017.tif 000002
【特許請求の範囲】
【請求項１】
出力情報を生成する生成手段と、当該出力情報に対する処理に用いられる制御情報と前記生成された出力情報とを含む情報パケットを生成して外部に出力する出力手段と、を備える情報出力装置において、
前記生成手段における前記出力情報の生成が行われないとき、前記出力情報に代えて予め設定された固定値を有する固定値情報を含む前記情報パケットを出力するように前記出力手段を制御する出力制御手段と、
を備えることを特徴とする情報出力装置。
【請求項２】
請求項１に記載の情報出力装置において、
前記出力情報を暗号化する暗号化手段と、
前記生成手段における前記出力情報の生成が行われないとき、前記固定値情報に対する前記暗号化手段による暗号化処理の実行を禁止する禁止手段と、
を更に備えることを特徴とする情報出力装置。
【請求項３】
請求項２に記載の情報出力装置において、
前記出力情報に対応する著作権情報を取得する取得手段を更に備え、
前記暗号化手段は、前記取得した著作権情報により前記生成された出力情報を著作権により保護すべきことが示されているとき前記生成された出力情報を暗号化することを特徴とする情報処理装置。
【請求項４】
請求項１から３のいずれか一項に記載の情報出力装置において、
前記出力情報はオーディオ情報であると共に、前記固定値情報における固定値は零であることを特徴とする情報出力装置。
【請求項５】
請求項１から４のいずれか一項に記載の情報出力装置において、
前記制御情報は、前記情報パケットの出力先において同期状態を形成するために用いられる同期情報であることを特徴とする情報出力装置。
【請求項６】
請求項１から５のいずれか一項に記載の情報出力装置において、
前記情報パケットはＩＥＥＥ（Ｉｎｓｔｉｔｕｔｅ　　ｏｆ　　Ｅｌｅｃｔｒｉｃａｌ　　ａｎｄ　ＥｌｅｃｔｒｏｎｉｃＥｎｇｉｎｅｅｒｓ）１３９４規格に準拠したシリアルバスを経由して出力されることを特徴とする情報出力装置。
【請求項７】
出力情報と、当該出力情報に対する処理に用いられる制御情報と前記出力情報とを含む情報パケットを生成して外部に出力する情報出力方法において、
前記出力情報の生成が行われないとき、当該出力情報に代えて予め設定された固定値を有する固定値情報を含む前記情報パケットを前記外部に出力する出力工程と、
を備えることを特徴とする情報出力装置。
【請求項８】
出力情報を生成する生成手段と、当該出力情報に対する処理に用いられる制御情報と前記生成された出力情報とを含む情報パケットを生成して外部に出力する出力手段と、を備える情報出力装置に含まれるコンピュータを、
前記生成手段における前記出力情報の生成が行われないとき、前記出力情報に代えて予め設定された固定値を有する固定値情報を含む前記情報パケットを出力するように前記出力手段を制御する出力制御手段として機能させることを特徴とする情報出力用プログラム。
【発明の詳細な説明】
【０００１】
【発明の属する技術分野】
本願は、情報出力装置、情報出力方法及び情報出力用プログラムの技術分野に属し、より詳細には、画像情報又はオーディオ情報等の情報を外部に出力する情報出力装置及び情報出力方法並びに当該情報出力装置のための情報出力用プログラムの技術分野に属する。
【０００２】
【従来の技術】
近年、例えば光ディスクに記録されているオーディオ情報を再生するプレーヤ等の情報再生装置と、当該再生されたオーディオ情報を増幅してスピーカ等に出力する増幅装置（いわゆるアンプ）と、を接続する接続方式の規格として、いわゆるＩＥＥＥ１３９４規格が一般化している。
【０００３】
ここで、当該ＩＥＥＥ１３９４規格とは、正式名称を「ＩＥＥＥ　Ｓｔｄ．１３９４−１９９５　ＩＥＥＥ　　Ｓｔａｎｄａｒｄ　　ｆｏｒ　ａ　　Ｈｉｇｈ　　Ｐｅｒｆｏｒｍａｎｃｅ　Ｓｅｒｉａｌ　Ｂｕｓ」と称し、上述した情報再生装置と増幅装置とを有線であるシリアルバスで接続する際に用いられる規格である。
【０００４】
次に、上記ＩＥＥＥ１３９４規格についてその概要を一般的に説明すると、当該ＩＥＥＥ１３９４規格（以下、単にシリアルバス規格と称する）においては、上記情報再生装置及び増幅装置を含む複数種類の情報処理装置（以下、単にノードと称する）間をシリアルバスにより接続し、これら各ノード間で複数チャンネル分の情報伝送を時分割的に実行するように規格化されている。このとき、当該シリアルバス規格においては、分岐を含まない一連のシリアルバスで接続されている系内では最大で６３個の異なるチャンネルを用いて情報伝送できることが規格化されている。
【０００５】
また、上記シリアルバス規格においては、各ノードからの情報はアイソクロナスサイクル（ここで、「サイクル」とは、シリアルバス上を時分割的に分割して形成される一のサイクルをいう。）と称される単位毎に纏められて送信される。そして、このアイソクロナスサイクルには、他のアイソクロナスサイクル内に含まれる情報と同期して伝送される情報（具体的には、画像情報又はオーディオ情報等を示し、以下、単にオーディオ情報等と称する）が含まれるアイソクロナス伝送領域と、他の情報とは無関係に非同期で伝送される情報（具体的には、上記オーディオ情報等の出力等を制御するための制御情報等）が含まれるアシンクロナス伝送領域とが含まれている。そして、このアイソクロナス伝送領域内の情報が異なったチャンネル毎に時分割されており、夫々のチャンネル毎に異なった情報が伝送される。
【０００６】
次に、各ノードから送出された情報の上記シリアルバス上における伝送形態としてより具体的には、夫々のノードからの情報は当該シリアルバス上を時分割的に夫々占有しつつ伝送される。そして、各情報は、１２５μｓｅｃの長さを有するシリアルバス上の同期単位である上記アイソクロナスサイクル内に挿入されて伝送される。
【０００７】
次に、一のアイソクロナスサイクルは、全てのノードの基準時刻を合わせるためにアイソクロナスサイクルの先頭に常に挿入されるサイクルスタートパケットと、時間的に同期した情報が複数チャネル分のアイソクロナスパケットに含まれることにより構成されているアイソクロナス伝送領域と、非同期の情報（例えば、種々の制御情報及び当該各制御情報に対応する応答情報等）が含まれているアシンクロナス伝送領域と、により構成されている。
【０００８】
更に、一の上記アイソクロナスパケットには、各アイソクロナスパケット内のデータ量を示す情報やアイソクロナスパケットの授受を行うノード同士の同期状態を制御するための同期情報、或いは各アイソクロナスパケット内の情報を伝送するチャンネルを示す情報等を含むＩＰ（Ｉｓｏｃｈｒｏｎｏｕｓ　　Ｐａｃｋｅｔ）ヘッダ並びに実際のオーディオ情報等を含むデータ領域が含まれている。
【０００９】
上記したシリアルバス規格によれば、パーソナルコンピュータ等の情報処理装置から高速に制御情報を伝送することにより、家庭電化製品又は情報再生装置等の音響映像装置等を一元的に制御することが可能となると共に、各ノード間でもオーディオ情報等を迅速且つ正確に相互伝送することが可能となる。
【００１０】
ここで、上記情報再生装置と増幅装置とをＩＥＥＥ１３９４規格に則ったシリアルバスにより接続する場合に戻ると、当該情報再生装置からオーディオ情報等を実際に出力している期間には当該オーディオ情報等は上記アイソクロナスパケットに含まれて伝送されているのであるが、当該情報再生装置における再生処理が完了してオーディオ情報等が出力されなくなった場合については、従来においては、アイソクロナスパケット自体の情報再生装置からの出力を停止する構成、又は当該アイソクロナスパケット内のいわゆるヘッダ情報のみを出力する構成とされていた。従って、情報再生装置におけるオーディオ情報等の再生が完了したときは、上記ＩＰヘッダに含まれるべき同期情報等も出力されなくなる構成とされていた。
【００１１】
【発明が解決しようとする課題】
しかしながら、上記した如き従来の構成によると、情報再生装置におけるオーディオ情報等の再生が完了すると、アイソクロナスパケットに含まれるべきＩＰヘッダ内の同期情報等の出力も停止してしまうため、それまで当該同期情報を用いて維持されていた情報再生装置と増幅装置との間の同期状態が解消されてしまうこととなる。
【００１２】
そして、この状態で情報再生装置におけるオーディオ情報等の再生を再開した場合には、上記同期情報を再生されたオーディオ情報等と共に情報再生装置から増幅装置に伝送し、更にその伝送された同期情報を用いた増幅装置における同期状態の確立処理を行った後でないと当該伝送されてきたオーディオ情報等の受信処理及び当該受信処理に続くオーディオ情報等の再生処理が開始されないこととなる。
【００１３】
従って、この場合には、情報再生装置からオーディオ情報等がアイソクロナスパケットととして出力されているにも拘わらず増幅装置における受信処理等が開始されないこととなり、結果として増幅装置から出力されるオーディオ情報等においては、本来再生されるべき（情報再生装置から出力されてきた）オーディオ情報等に対していわゆる頭切れの状態でスピーカ等に出力されてしまうという問題点があった。
【００１４】
そこで、本願は、上記の問題点に鑑みて為されたもので、その課題の一例は、例えば、オーディオ情報等を含むアイソクロナスパケットが、その再生中断後に再生が再開されて再度出力されたときでも当該オーディオ情報等に対する増幅処理等を迅速に再開することができ、当該増幅処理等の再開後のオーディオ情報等における頭切れの発生を防止することができるように当該オーディオ情報等を出力することが可能な情報出力装置及び情報出力方法並びに当該情報出力装置のための情報出力用プログラムを提供することにある。
【００１５】
【課題を解決するための手段】
上記の課題を解決するために、請求項１に記載の発明は、出力情報を生成する生成手段と、当該出力情報に対する処理に用いられる制御情報と前記生成された出力情報とを含む情報パケットを生成して外部に出力する出力手段と、を備える情報出力装置において、前記生成手段における前記出力情報の生成が行われないとき、前記出力情報に代えて予め設定された固定値を有する固定値情報を含む前記情報パケットを出力するように前記出力手段を制御する出力制御手段を備える。
【００１６】
上記の課題を解決するために、請求項７に記載の発明は、出力情報と、当該出力情報に対する処理に用いられる制御情報と前記出力情報とを含む情報パケットを生成して外部に出力する情報出力方法において、前記出力情報の生成が行われないとき、当該出力情報に代えて予め設定された固定値を有する固定値情報を含む前記情報パケットを前記外部に出力する出力工程を備える。
【００１７】
上記の課題を解決するために、請求項８に記載の発明は、出力情報を生成する生成手段と、当該出力情報に対する処理に用いられる制御情報と前記生成された出力情報とを含む情報パケットを生成して外部に出力する出力手段と、を備える情報出力装置に含まれるコンピュータを、前記生成手段における前記出力情報の生成が行われないとき、前記出力情報に代えて予め設定された固定値を有する固定値情報を含む前記情報パケットを出力するように前記出力手段を制御する出力制御手段として機能させる。
【００１８】
【発明の実施の形態】
次に、本願に好適な実施の形態について、図面に基づいて説明する。
【００１９】
なお、以下に説明する実施の形態は、ＤＶＤ（Ｄｉｇｉｔａｌ　　Ｖｅｒｓａｔｉｌｅ　Ｄｉｓｃ）等の光ディスクに記録されているオーディオ情報を再生するプレーヤと、当該プレーヤにおいて再生されたオーディオ情報に対して予め設定された増幅処理及び波形整形処理等を施してスピーカを介して出力（放音）するレシーバと、当該プレーヤとレシーバとを上記シリアルバス規格に則って有線接続するシリアルバスと、を含む情報再生システムに対して本願を適応した場合の実施の形態である。
【００２０】
初めに、実施形態に係る情報再生システムの全体構成について、図１を用いて説明する。なお、図１は実施形態に係る情報再生システムに含まれる上記プレーヤ及びレシーバの概要構成を示すブロック図である。
【００２１】
図１に示すように、実施形態に係る情報再生システムＳは、情報出力装置としてのプレーヤＰと、出力先としてのレシーバＲと、当該プレーヤＰとレシーバＲとを上記シリアルバス規格に則って接続するシリアルバスＢと、により構成されている。
【００２２】
また、プレーヤＰは、生成手段としての検出部１と、取得手段としてのデコード部２と、同期制御部３Ａ及び暗号化手段としての暗号化部３Ｂを含むを含む出力手段としてのインタフェース３と、出力制御手段及び禁止手段としてのシステム制御部４と、入力操作部５と、表示部６と、により構成されている。
【００２３】
更に、レシーバＲは、同期制御部１０Ａを含むインタフェース１０と、受信処理部１１と、スピーカ１２と、により構成されている。
【００２４】
次に、全体動作を説明する。
【００２５】
先ず、プレーヤＰ内の検出部１は、オーディオ情報が予め記録されたＤＶＤ等の光ディスクＤＫを回転させるためのスピンドルモータ、当該回転している光ディスクＤＫから上記オーディオ情報を光学的に検出するピックアップ及び当該検出されたオーディオ情報に対して予め設定された振幅増幅等の前処理を施す処理部等を含んで構成されており、当該光ディスクＤＫが装填されると、制御信号Ｓｃｐを用いたシステム制御部４の制御の下、当該光ディスクＤＫに記録されているオーディオ情報を光学的に検出し、当該検出したオーディオ情報に対応する検出信号Ｓｐを生成してデコード部２へ出力する。
【００２６】
これにより、デコード部２は、制御信号Ｓｃｄを用いたシステム制御部４の制御の下、上記検出信号Ｓｐに含まれているオーディオ情報を復号し、復号情報Ｓｄを生成してインタフェース３へ出力する。このとき、デコード部２は、上記検出信号Ｓｐに上記オーディオ情報が著作権法上保護されるべきものであるか否かを示す著作権情報が含まれているときは、これを検出し、制御信号Ｓｃｄとしてシステム制御部４へ出力する。
【００２７】
次に、インタフェース３は、制御信号Ｓｃｉを用いたシステム制御部４の制御の下、復号後の復号情報Ｓｄに対して上記シリアルバス規格に基づく出力インタフェース処理を施し、プレーヤ出力情報としてシリアルバスＢを介してレシーバＲに出力する。このとき、当該インタフェース３は、上記復号情報Ｓｄに含まれているオーディオ情報を各アイソクロナスパケット（必要な同期情報等を含む）に分割し、上記プレーヤ出力情報を形成してシリアルバスＢ上に送出することとなる。なお、再生されたオーディオ情報及び同期情報等を含んで上記プレーヤ出力情報を構成するアイソクロナスパケットを、以下、「有音パケット」と称する。
【００２８】
また、後述するように、インタフェース３は、光ディスクＤＫからのオーディオ情報の再生が実行されないときは、上記オーディオ情報に代えて、その値が「０」に固定されている固定値情報及び上記同期情報等を用いてアイソクロナスパケットを形成し、プレーヤ出力情報を形成してシリアルバスＢに出力する。ここで、上記同期情報等並びにオーディオ情報に代わる上記固定値情報を含んで上記プレーヤ出力情報を構成するアイソクロナスパケットを、以下、「無音パケット」と称する。
【００２９】
更に、インタフェース３内の暗号化部３Ｂは、当該復号したオーディオ情報に対して予め設定された暗号化方式に基づく暗号化処理を後述する再生処理の如く必要に応じて施した後、上記プレーヤ出力情報としてシリアルバスＢへ出力する。ここで、上記暗号化方式として具体的には、例えば著作権保護のための暗号化方式として周知の、いわゆるＤＴＣＰ（Ｄｉｇｉｔａｌ　　Ｔｒａｎｓｍｉｓｓｉｏｎ　　Ｃｏｐｙ　　Ｐｒｏｔｅｃｔｉｏｎ）規格に基づいた暗号化方式が用いられる。なお、上記ＤＴＣＰ規格について詳細には、インターネット上でＤＴＬＡ（Ｄｉｇｉｔａｌ　　Ｔｒａｎｓｍｉｓｓｉｏｎ　　ＬｉｃｅｎｓｉｎｇＡｄｍｉｎｉｓｔｒａｔｏｒ）によりその内容が公開されている（ＵＲＬはｈｔｔｐ：／／ｗｗｗ．ｄｔｃｐ．ｃｏｍである）。
【００３０】
一方、上述した一連のプレーヤＰにおける動作を制御するための操作は入力操作部５において操作者により実行され、当該実行された操作に対応する操作信号Ｓｉｎが生成されてシステム制御部４へ出力される。
【００３１】
そして、システム制御部４は、後述するフローチャートにより示される処理が実現されるようにプレーヤＰを構成する各構成部材を統括制御すべく、上記操作信号Ｓｉｎに基づいて当該各構成部材を制御するための上記制御信号Ｓｃｐ，Ｓｃｄ及びＳｃｉを生成して出力する。
【００３２】
更に、当該システム制御部４による統括制御処理において上記操作者に対して提示すべき情報は、表示情報Ｓｄｐとしてシステム制御部４から出力される。
【００３３】
そして、例えば液晶表示部等よりなる表示部６は、当該表示情報Ｓｄｐに基づいて当該提示すべき情報を表示する。
【００３４】
他方、上記インタフェース３から出力されてきたプレーヤ出力情報を受信するレシーバＲにおけるインタフェース１０は、シリアルバスＢを介して出力されてきた当該プレーヤ出力情報に対して上記シリアルバス規格に則った入力インタフェース処理を実行し、受信情報Ｓｒとして受信処理部１１へ出力する。
【００３５】
このとき、インタフェース１０におけるプレーヤ出力情報の受信は、プレーヤＰにおけるインタフェース３内の同期制御部３ＡとレシーバＲにおけるインタフェース１０内の同期制御部１１Ａとの間で相互に授受される上記同期情報を用いて確立された同期状態が維持・継続された状態で実行される。
【００３６】
そして、受信処理部１１は、当該生成された受信情報Ｓｒ内の有音パケットに含まれているオーディオ情報に対して増幅処理及び波形整形処理等の予め設定された受信処理を施し、当該オーディオ情報に対応する出力情報Ｓｏを生成してスピーカ１２に出力する。
【００３７】
これにより、スピーカ１２は、当該出力情報Ｓｏに含まれるオーディオ情報を音として放音する。
【００３８】
次に、上述してきた構成及び動作を有する情報再生システムＳ内のプレーヤＰにおいて主として実行される、実施形態に係る光ディスクＤＫからのオーディオ情報の再生処理について、図２及び図３を用いて説明する。
【００３９】
なお、図２は当該再生処理を示すフローチャートであり、図３は当該再生処理を示すタイミングチャートである。
【００４０】
図２に示すように、実施形態の再生処理においては、初めに、光ディスクＤＫからのオーディオ情報の再生処理を実行しない期間においては、暗号化部２Ａによる暗号化処理を施さない状態で値「０」の固定値を有する固定値情報を含む無音パケットがインタフェース３からシリアルバスＢを介してレシーバＲのインタフェース１０に出力されている。そして、当該無音パケット内の同期情報を用いて、インタフェース３内の同期制御部３Ａとインタフェース１０内の同期制御部１０Ａとの間で上記有音パケット受信のための同期状態が維持されている。
【００４１】
そして、当該再生処理の停止中においては、光ディスクＤＫからのオーディオ情報の再生開始を指示する操作が入力操作部５において実行されたか否かが常に監視されており（図２ステップＳ１）、当該操作が為されないときは（ステップＳ１；ＮＯ）そのまま当該操作が為されるまで待機する。
【００４２】
一方、例えば図３最下段に示すタイミングＴ１において、再生開始のための操作が入力操作部５において為されたときは（ステップＳ１；ＹＥＳ）、次に、図３最下段に示すタイミングＴ２までの間に装填されている光ディスクＤＫを回転させ、当該再生前に読み出すべき制御情報を検出し、更にその後に検出されるオーディオ情報のデコード部２への格納を開始する。
【００４３】
また、当該タイミングＴ２までの間に、光ディスクＤＫ内に予め記録されている著作権情報の内容をデコード部２及びシステム制御部４において確認することで、上記再生指示によりこれから再生するオーディオ情報が著作権法により保護されるべき属性を備えているか否かが確認される（図２ステップＳ２、Ｓ３）。
【００４４】
そして、ステップＳ３の判定において、再生すべきオーディオ情報が著作権法により保護されるべきであると判定されたときは（ステップＳ３；ＹＥＳ）、次に、図３下から二段目におけるタイミングＴ３までの間に暗号化部２Ａにおけるオーディオ情報に対する暗号化処理を開始するための設定を当該タイミングＴ３において行い（図２ステップＳ４、Ｓ５）、それが完了したときは（ステップＳ５；ＹＥＳ）光ディスクＤＫから検出されているオーディオ情報に対するデコード部２における復号処理及び暗号化部３Ｂにおける暗号化処理を開始する。
【００４５】
ここで、図３最下段に示すタイミングＴ２からタイミングＴ４までの間は、デコード部２における復号処理が開始されるまで待機し、タイミングＴ４において復号処理が開始されると、当該復号されたオーディオ情報を含む有音パケットを生成してシリアルバスＢを介してレシーバＲに出力する（図２ステップＳ６、Ｓ７）。このとき、当該有音パケット内のオーディオ情報に対しては暗号化部３Ｂにおける暗号化処理が施されていることとなる。なお、タイミングＴ３においては暗号化処理を開始するための設定が行われるため、当該タイミングＴ３からタイミングＴ４までの間にシリアルバスＢ上に出力される無音パケットの一部が暗号化される場合があり得ることとなるが、当該タイミングＴ３からタイミングＴ４までの間程度の時間であれば、その時間内に出力される無音パケットが暗号化されても問題はない。
【００４６】
一方、ステップＳ３の判定において、再生すべきオーディオ情報が著作権法により保護される必要がないものであると判定されたときは（ステップＳ３；ＮＯ）、そのまま上記ステップＳ６に移行し、暗号化処理が施されない状態のオーディオ情報を含む有音パケットを生成してシリアルバスＢを介してレシーバＲに出力する（図２ステップＳ６、Ｓ７。図３最下段タイミングＴ４以降参照）。
【００４７】
このステップＳ６及びＳ７の処理により、プレーヤＰにおいて再生されたオーディオ情報がレシーバＲに伝送され、スピーカ１２により放音されることとなる。
【００４８】
次に、有音パケットの出力中においては、光ディスクＤＫからのオーディオ情報の再生を停止する操作が入力操作部５において実行されたか否かが常に監視されており（図２ステップＳ８）、当該操作が為されないときは（ステップＳ８；ＮＯ）そのまま当該操作が為されるまで有音パケットの出力を継続し、一方、例えば図３最下段に示すタイミングＴ５において再生停止のための操作が入力操作部５において為されたときは（ステップＳ８；ＹＥＳ）、次に、当該タイミングＴ５においてオーディオ情報の再生を停止し、有音パケットから無音パケットに切り換えて出力すると共に（図２ステップＳ９）、図３最下段に示すタイミングＴ７までの間に装填されている光ディスクＤＫの回転を停止させる。
【００４９】
また、これらと並行して図３下から二段目に示すタイミングＴ６までの間に暗号化部３Ｂにおける暗号化処理を停止させる（図２ステップＳ１０、Ｓ１１）。これにより、無音パケット内の固定値情報に対する暗号化処理は施されないこととなる。なお、この場合、タイミングＴ５からタイミングＴ６までの間にシリアルバスＢ上に出力される無音パケットが暗号化されることとなるが、当該タイミングＴ５からＴ６までの間程度の時間であれば、その時間内に出力される無音パケットが暗号化されても問題はない。
【００５０】
以上の停止処理により、無音パケットのみが継続的に出力される再生停止状態に移行する。
【００５１】
そして、再生停止状態に以降後はプレーヤＰの図示しない電源スイッチがオフとされたか否かが常に監視されており（図２ステップＳ１２）、当該電源スイッチがオフとされたときは（ステップＳ１２；ＹＥＳ）そのまま実施形態に係る再生処理を終了し、一方、電源スイッチがオフとされないときは（ステップＳ１２；ＮＯ）上記ステップＳ１の処理に戻って上述してきた一連の処理を繰り返す。
【００５２】
以上説明したように、実施形態の再生処理においては、オーディオ情報を出力しないときでも、固定値情報と同期情報とを含む無音パケットを有音パケットに代えて出力するので、アイソクロナスパケット内の同期情報を出力していたときと同様の同期状態を外すことなく当該無音パケットに含まれる同期情報を用いて維持・継続することができ、オーディオ情報を含む有音パケットが再度出力されてきたときレシーバＲにおいて迅速に当該オーディオ情報に対する処理を再開することができる。
【００５３】
また、無音パケットが出力されているときは暗号化処理が禁止された状態で固定値情報を含む無音パケットが出力されるので、解読されやすい状態の固定値情報に対する暗号化処理の実行が為されないこととなり、オーディオ情報に対する暗号化処理の秘匿性を維持することができる。
【００５４】
更に、固定値情報における固定値が「０」であるので、簡易な処理でオーディオ情報出力中における同期状態を維持することができる。
【００５５】
なお、上述した実施形態においては、固定値情報における固定値を「０」とした場合について説明したが、これ以外に、例えば、１６進数における「Ｆ」を固定値として固定値情報を形成しても良い。
【００５６】
また、上述した実施形態においては、アイソクロナスパケット内の同期情報を用いた同期状態を維持するために無音パケット内の当該同期情報を用いたが、これ以外の制御状態を維持するために無音パケット内の他の制御情報を用いても良い。
【００５７】
更にまた、光ディスクＤＫからオーディオ情報を含む動画像情報を検出・再生し、これを画像表示機能と音声出力機能とを兼ね備える情報処理装置に出力する場合に本願を適用することも可能である。
【００５８】
なお、プレーヤＰの暗号化部２Ａの動作に関し、オーディオ情報の再生停止中だけでなく、光ディスクＤＫ上における検出すべきオーディオ情報の検索中、再生の一時停止中（いわゆるポーズ中）又は光ディスクＤＫを載置する図示しないディスクトレイ引き出し中の如き期間も暗号化処理を禁止する構成とすれば、当該暗号化処理における秘匿性を更に高めることができる。
【００５９】
また、図２に示すフローチャートに対応するプログラムをフレキシブルディスク又はハードディスク等の情報記録媒体に記録しておき、或いはインターネット等のネットワークを介して取得して記録しておき、これを汎用のマイクロコンピュータ等により読み出して実行することにより、当該マイクロコンピュータ等を実施形態におけるシステム制御部４として機能させることも可能である。
【図面の簡単な説明】
【図１】実施形態の情報再生システムの概要構成を示すブロック図である。
【図２】実施形態の再生処理を示すフローチャートである。
【図３】実施形態の再生処理を示すタイミングチャートである。
【符号の説明】
１…検出部
２Ａ…暗号化部
２…デコード部
３Ａ、１０Ａ…同期制御部
３、１０…インタフェース
４…システム制御部
５…入力操作部
６…表示部
１１…受信処理部
１２…スピーカ
Ｓ…情報再生システム
Ｐ…プレーヤ
Ｒ…レシーバ
Ｂ…シリアルバス
ＤＫ…光ディスク
【図１】
2004120017.tif 000003
【図２】
2004120017.tif 000004
【図３】
2004120017.tif 000005
【手続補正書】
【提出日】平成14年10月3日(2002.10.3)
【手続補正１】
【補正対象書類名】図面
【補正対象項目名】全図
【補正方法】変更
【補正の内容】
【図１】
2004120017.tif 000006
【図２】
2004120017.tif 000007
【図３】
2004120017.tif 000008